(57)【要約】      （修正有）【課題】指針の運針を立体的に変化させてデザイン性を向上させることができるムーブメントおよびそれを備えた時計を提供する。【解決手段】駆動軸であるロータ軸１４ｄを有するステップモータ１４と、ロータ軸１４ｄの回転に応じて回転して指針である小針を運針させる第２の指針軸１６と、を備え、この第２の指針軸１６がロータ軸１４ｄに対して傾いて配置されている。従って、ステップモータ１４のロータ軸１４ｄに対して小針を傾けて運針させることができるので、小針の運針方向をロータ軸１４ｄの回転方向に対して傾けることができ、これにより小針の運針を立体的に変化させることができるので、変化に富んだデザインを得ることができ、デザイン性を向上させることができる。【選択図】図５
2016217862.tif 000002
【特許請求の範囲】
【請求項１】
駆動軸を有する駆動源と、前記駆動軸の回転に応じて回転して指針を運針させる指針軸と、を備え、
前記指針軸が前記駆動軸に対して傾いて配置されていることを特徴とするムーブメント。
【請求項２】
請求項１に記載のムーブメントにおいて、前記駆動軸は、その回転を輪列部に伝達する駆動歯車を有し、前記指針軸は、前記輪列部の回転が伝達される従動歯車を有していることを特徴とするムーブメント。
【請求項３】
請求項２に記載のムーブメントにおいて、前記指針軸の前記従動歯車は、前記輪列部の伝達歯車に対して傾いた状態で噛み合っていることを特徴とするムーブメント。
【請求項４】
請求項３に記載のムーブメントにおいて、前記従動歯車の歯部は、前記輪列部の前記伝達歯車の歯部に対するかじりを避けるための逃げ部が設けられていることを特徴とするムーブメント。
【請求項５】
請求項１〜請求項４のいずれかに記載のムーブメントにおいて、前記指針軸は、文字板に対して垂直な状態で前記文字板の上方に突出し、前記文字板は、前記指針軸に対して垂直な状態で、前記駆動源の前記駆動軸に対して傾いて配置されていることを特徴とするムーブメント。
【請求項６】
請求項１〜請求項５のいずれかに記載のムーブメントにおいて、前記駆動源は、交番磁界によってロータがステップ回転するステップモータであり、前記駆動軸は、前記ロータのロータ軸であることを特徴とするムーブメント。
【請求項７】
請求項１〜請求項６のいずれかに記載されたムーブメントを備えていることを特徴とする時計。
【請求項８】
請求項７に記載の時計において、前記駆動源の前記駆動軸に対して前記指針軸が傾いて配置された第１のムーブメントと、前記駆動源の前記駆動軸に対して前記指針軸が平行に配置された第２のムーブメントと、を備えていることを特徴とする時計。
【請求項９】
請求項７に記載の時計において、前記駆動源の前記駆動軸に対して傾いて配置された指針軸と、前記駆動源の前記駆動軸に対して平行に配置された他の指針軸と、を備えていることを特徴とする時計。
【請求項１０】
ケースに組み込まれる複数のムーブメントのうち、少なくとも１つのムーブメントが他のムーブメントに対して傾いて配置されていることを特徴とする時計。
【発明の詳細な説明】
【技術分野】
【０００１】
この発明は、腕時計などの時計、またはメータなどの計測器などに用いられるムーブメントおよびそれを備えた時計に関する。
【背景技術】
【０００２】
例えば、腕時計においては、特許文献１に記載されているように、外側ケース内に内側ケースを回転可能に取り付け、この内側ケース内に時計モジュールを組み込んだ構成のものが知られている。
【先行技術文献】
【特許文献】
【０００３】
【特許文献１】特表２００９−５２４００９号公報
【０００４】
この種の腕時計は、時計モジュールが、時針、分針、秒針などの指針を運針する指針軸のほかに、２４時間表示の小針やストップウオッチ機能の小針などの機能針を運針する指針軸を備え、時計モジュールを備える内側ケースを外側ケースに対して傾けた状態で起立させるように構成されている。
【発明の概要】
【発明が解決しようとする課題】
【０００５】
このような腕時計では、時計モジュールを備える内側ケースを外側ケースに対して傾けた状態で起立させることにより、文字板を見やすくすることができても、時針、分針、秒針などの指針、および小針などの機能針が互いに平行な平面上を運針する構成であるから、指針や機能針の運針が平面的になり、デザイン的な変化に乏しいという問題がある。
【０００６】
この発明が解決しようとする課題は、指針の運針を立体的に変化させてデザイン性を向上させることができるムーブメントおよびそれを備えた時計を提供することである。
【課題を解決するための手段】
【０００７】
この発明は、駆動軸を有する駆動源と、前記駆動軸の回転に応じて回転して指針を運針させる指針軸と、を備え、前記指針軸が前記駆動軸に対して傾いて配置されていることを特徴とするムーブメントである。
【発明の効果】
【０００８】
この発明によれば、駆動軸に対して指針を傾けて配置することができるので、指針の運針を立体的に変化させることができ、これにより変化に富んだデザインを得ることができるので、デザイン性を向上させることができる。
【図面の簡単な説明】
【０００９】
【図１】この発明を腕時計に適用した第１実施形態を示した拡大正面図である。
【図２】図１に示された腕時計の時計モジュールを示した拡大斜視図である。
【図３】図２示された時計モジュールのＡ−Ａ矢視における拡大断面図である。
【図４】図３示された時計モジュールにおける第２の時計ムーブメントを示した拡大裏面図である。
【図５】図４に示された第２の時計ムーブメントのＢ−Ｂ矢視における拡大断面図である。
【図６】図５に示された第２の時計ムーブメントにおける第２の指針軸およびその指針歯車を示した要部の拡大断面図である。
【図７】図６に示された指針歯車の歯部を示し、（ａ）はその要部を示した拡大斜視図、（ｂ）はそのＣ−Ｃ矢視における拡大断面図である。
【図８】図６に示された指針歯車と伝達カナとの噛み合い状態を示し、（ａ）は伝達軸に対して指針軸が傾いた状態における要部の拡大断面図、（ｂ）はその要部を平面的に示した拡大図、（ｃ）はそのピッチ円に沿うＤ−Ｄ矢視における要部の拡大断面図である。
【図９】図６に示された指針歯車と伝達カナとの噛み合い状態を示し、（ａ）は伝達軸に対して指針軸が平行な状態における要部の拡大断面図、（ｂ）はその要部を平面的に示した拡大図、（ｃ）はそのピッチ円に沿うＥ−Ｅ矢視における要部の拡大断面図である。
【図１０】図９に示された指針歯車において、伝達カナに噛み合う指針歯車の逃げ部の第１変形例を示し、（ａ）は伝達軸に対して指針軸が平行な状態における要部の拡大断面図、（ｂ）はその逃げ部を平面的に示した拡大図、（ｃ）はそのピッチ円に沿うＦ−Ｆ矢視における要部の拡大断面図である。
【図１１】図８に示された指針軸を伝達軸に対して捩って傾けた状態の第２変形例を示し、（ａ）は伝達軸に対する指針軸の捩れ傾き状態を示した要部の拡大断面図、（ｂ）はその逃げ部を平面的に示した拡大図、（ｃ）はそのピッチ円に沿うＧ−Ｇ矢視における要部の拡大断面図である。
【図１２】図６に示された指針歯車の歯部をプレス加工によって形成した第３変形例を示し、（ａ）はその要部を示した拡大斜視図、（ｂ）はそのＨ−Ｈ矢視において歯部の断面を凸形状に形成した拡大断面図、（ｃ）はそのＨ−Ｈ矢視において歯部の断面をほぼ台形状に形成した拡大断面図である。
【図１３】この発明を腕時計に適用した第２実施形態を示し、（ａ）はその時計モジュールを示した拡大断面図、（ｂ）はその時計モジュールに組み込まれた第２、第３の時計ムーブメントを示した要部の拡大断面図である。
【発明を実施するための形態】
【００１０】
（第１実施形態）
以下、図１〜図９を参照して、この発明を指針式の腕時計に適用した第１実施形態について説明する。
この腕時計は、図１および図２に示すように、腕時計ケース１を備えている。この腕時計ケース１の１２時側と６時側とには、時計バンド２が取り付けられている。また、この腕時計ケース１の３時側には、竜頭などのスイッチ部３が設けられている。
【００１１】
この腕時計ケース１の内部には、図１〜図３に示すように、時計モジュール４が設けられている。この時計モジュール４は、ハウジング５を備えている。このハウジング５の上部には、第１の文字板６が設けられている。また、このハウジング５内における下部には、回路基板７が設けられている。さらに、このハウジング５の内部には、第１〜第３の時計ムーブメント８〜１０が設けられている。
【００１２】
第１の時計ムーブメント８は、図１〜図３に示すように、時針１１ａ、分針１１ｂ、秒針１１ｃなどの指針１１を運針させて現在時刻を指示する一般的なムーブメントである。この第１の時計ムーブメント８は、駆動源としてのステップモータ（図示せず）と、このステップモータの回転が輪列部（図示せず）によって伝達される第１の指針軸１２と、を備えている。
【００１３】
この場合、第１の時計ムーブメント８における第１の指針軸１２は、図３に示すように、筒車の筒軸である時針軸１２ａと、この時針軸１２ａ内に回転自在に配置された分針軸１２ｂと、この分針軸１２ｂ内に回転自在に配置された秒針軸１２ｃと、を有している。輪列部は、図示しないが、ステップモータの回転を秒針軸１２ｃに伝達する五番車、秒針軸１２ｃの回転を分針軸１２ｂに伝達する三番車、および分針軸１２ｂの回転を時針軸１２ａに伝達する日の裏車などの複数の伝達車を有している。
【００１４】
この第１の時計ムーブメント８は、図３に示すように、第１の指針軸１２が第１の文字板６の中心部に位置し、第１の文字板６の上方に突出した状態で配置されるように構成されている。この場合、第１の文字板６の上方に位置する時針軸１２ａの上部には、時針１１ａが取り付けられている。この時針軸１２ａの上方に位置する分針軸１２ｂの上部には、分針１１ｂが取り付けられている。
【００１５】
さらに、分針軸１２ｂの上方に位置する秒針軸１２ｃの上部には、図３に示すように、秒針１１ｃが取り付けられている。これにより、この第１の時計ムーブメント８は、第１の指針軸１２が第１の文字板６の平面に対して垂直な状態で配置され、この第１指針軸１２の突出した上部に取り付けられた指針１１が第１の文字板６の上方を運針するように構成されている。
【００１６】
また、この第１の時計ムーブメント８は、図３に示すように、ステップモータの駆動軸であるロータ軸（いずれも図示せず）が第１の文字板６の平面に対して垂直な状態で配置され、このロータ軸に対して第１の指針軸１２が平行に配置されていることにより、指針１１が第１の文字板６に対して平行な状態で、その上方を運針するように構成されている。
【００１７】
一方、第２の時計ムーブメント９は、図１〜図３に示すように、例えば２４時間で１回転する小針１３を運針させて時間を２４時間表示で指示するムーブメントであり、ハウジング５の６時側に配置されている。この第２の時計ムーブメント９は、図４および図５に示すように、駆動源としてのステップモータ１４と、このステップモータ１４の回転が輪列部１５によって伝達される第２の指針軸１６と、を備えている。
【００１８】
ステップモータ１４は、図４および図５に示すように、磁界を発生するコイル部１４ａと、このコイル部１４ａで発生した磁界を導くステータ１４ｂと、このステータ１４ｂに導かれた交番磁界によってステップ回転するロータ１４ｃと、を備えている。この場合、コイル部１４ａは、コイル基板１４ｇを介して回路基板７と電気的に接続されている。
【００１９】
ロータ１４ｃは、図４および図５に示すように、駆動軸であるロータ軸１４ｄと磁石部１４ｅとロータカナ１４ｆとを有し、ロータ軸１４ｄが輪列受部１７と地板１８との間に回転可能に配置され、この状態で磁石部１４ｅがステータ１４ｂの円形孔内に配置されて１８０度ずつステップ回転するように構成されている。
【００２０】
輪列部１５は、図４および図５に示すように、ステップモータ１４の回転を第２の指針軸１６に伝達する伝達車であり、輪列受部１７と地板１８との間に回転可能に配置された伝達軸１５ａと、ロータ１４ｃのロータカナ１４ｆに噛み合って回転する伝達歯車１５ｂと、この伝達歯車１５ｂと共に回転する伝達カナ１５ｃと、を有し、伝達軸１５ａがロータ１４ｃのロータ軸１４ｄに対して平行な状態で配置されている。
【００２１】
第２の指針軸１６は、図４および図５に示すように、例えば小針１３を２４時間で１回転させるものであり、伝達カナ１５ｃに噛み合って回転する従動歯車である指針歯車１６ａを有し、輪列受部１７と地板１８との間に傾いた状態で回転可能に配置されている。すなわち、この第２の指針軸１６は、図５に示すように、ロータ１４ｃのロータ軸１４ｄおよび輪列部１５の伝達軸１５ａに対し傾いた状態で、地板１８の上方に突出して配置されている。
【００２２】
この場合、第２の指針軸１６は、図５および図６に示すように、ロータ１４ｃのロータ軸１４ｄに対する傾き角度θが、２度〜１８度の範囲で、好ましくは５度〜１０度の範囲に設定されている。このため、指針歯車１６ａは、図６に示すように、輪列部１５の伝達カナ１５ｃに対して傾いた状態で噛み合うように構成されている。すなわち、指針歯車１６ａの歯部Ｇ１には、図７〜図９に示すように、輪列部１５の伝達カナ１５ｃの歯部Ｇ２に対するかじりを避けるための逃げ部Ｎが設けられている。
【００２３】
この指針歯車１６ａの歯部Ｇ１に設けられた逃げ部Ｎは、図７および図８に示すように、ロータ軸１４ｄに対する第２の指針軸１６の傾き、つまり輪列部１５の伝達カナ１５ｃに対する指針歯車１６ａの傾きに応じて、指針歯車１６ａの歯部Ｇ１の歯先が、図８（ａ）に示すように、伝達カナ１５ｃの歯底に接触せず、伝達カナ１５ｃの歯底と平行になるように、指針歯車１６ａの歯部Ｇ１の歯先に形成された傾斜面である。
【００２４】
この傾斜面である逃げ部Ｎは、図７〜図９に示すように、指針歯車１６ａの歯部Ｇ１の全周に沿って設けられている。このため、指針歯車１６ａの歯部Ｇ１は、図７（ｂ）に示すように、断面が台形状に形成されている。この場合、逃げ部Ｎは、図９（ａ）〜図９（ｃ）に示すように、第２の指針軸１６がロータ軸１４ｄに対して傾くことなく、平行に配置された状態で、指針歯車１６ａを上方から平面的に見た際に、歯部Ｇ１の逃げ部Ｎが全周に沿って露呈する。
【００２５】
これに対して、第２の指針軸１６がロータ軸１４ｄに対して離れる方向に傾いて配置された状態における逃げ部Ｎは、図８（ａ）〜図８（ｃ）に示すように、指針歯車１６ａの歯部Ｇ１の歯先と歯底とがロータ軸１４ｄに対してそれぞれ平行になるため、指針歯車１６ａを上方から平面的に見た際に、歯部Ｇ１の両側面に設けられた逃げ部Ｎのみが、図８（ｂ）に示すように、露呈する。
【００２６】
この場合、第２の指針軸１６を回転可能に保持する輪列受部１７の軸孔１７ａと、地板１８の軸孔１８ａとは、図５および図６に示すように、その中心軸が第２の指針軸１６と同じ傾きになるように、ロータ軸１４ｄに対して傾いた状態で設けられている。また、第２の指針軸１６を保持する輪列受部１７の軸孔１７ａの周辺部と、地板１８の軸孔１８ａの周辺部とには、それぞれ受け面１７ｂ、１８ｂが設けられている。
【００２７】
これら輪列受部１７の受け面１７ｂと、地板１８の受け面１８ｂとは、図５および図６に示すように、第２の指針軸１６に対して垂直な状態の傾斜面にそれぞれ形成されている。これにより、受け面１７ｂ、１８ｂは、第２の指針軸１６、伝達軸１５ａ、ロータ軸１４ｄなどの輪列を組み立てる際に、その組立用冶具を配置し易くして輪列を精度よく組み立てるように構成されている。
【００２８】
この第２の指針軸１６を有する第２の時計ムーブメント９は、図１〜図３に示すように、第２の文字板１９に対応して配置されるように構成されている。この第２の文字板１９は、第１の文字板６の６時側に位置する箇所に設けられた円形状の開口部６ａ内に傾斜した状態で、第１の文字板６と一体に形成されて配置されている。すなわち、この第２の文字板１９は、図２および図３に示すように、地板１８の上面に第２の指針軸１６の傾きに応じて６時側が低くなるように傾斜して配置されている。なお、この第２の文字板１９は、第１の文字板６と別体に形成されていても良い。
【００２９】
これにより、第２の時計ムーブメント９は、図１〜図３に示すように、その第２の指針軸１６が第１の文字板６に対して傾き、かつ第２の文字板１９に対して垂直な状態になり、この状態で第２の文字板１９の上方に突出し、この突出した第２の指針軸１６の上端部に取り付けられた小針１３が、第１の文字板６の円形状の開口部６ａ内において、第２の文字板１９に対して平行な状態で、かつ第１の文字板６に対して傾いた状態で運針するように構成されている。
【００３０】
この場合、第２の時計ムーブメント９は、図３、図５および図６に示すように、輪列部１５の伝達カナ１５ｃに対する指針歯車１６ａの傾きによる指針歯車１６ａの上下方向の振れ幅Ｔ１が、指針歯車１６ａの外径の大きさによって設定されている。これにより、第２の時計ムーブメント９は、指針歯車１６ａの上下方向の振れ幅Ｔ１が時計モジュール４全体の厚みＴ２に及ぼす影響が極めて小さく、この振れ幅Ｔ１によって時計モジュール４全体の厚みＴ２が厚くならないように構成されている。
【００３１】
一方、第３の時計ムーブメント１０は、図１〜図３に示すように、例えばストップウオッチ機能用の小針２０を運針させてストップウオッチ時間を指示するムーブメントであり、ハウジング５の１２時側に配置されている。この第３の時計ムーブメント１０は、第２の時計ムーブメント９と同様、駆動源としてのステップモータ１４と、このステップモータ１４の回転が輪列部１５によって伝達される第３の指針軸２１と、を備えている。
【００３２】
この第３の時計ムーブメント１０も、第２の時計ムーブメント９と同様、第３の指針軸２１がロータ１４ｃのロータ軸１４ｄおよび輪列部１５の伝達軸１５ａに対して傾いた状態で、輪列受部１７と地板１８との間に回転可能に配置され、かつこの第３の指針軸２１が地板１８の上方に突出して配置されるように構成されている。
【００３３】
この第３の指針軸２１は、第２の時計ムーブメント９の第２の指針軸１６と同様、ロータ１４ｃのロータ軸１４ｄに対する傾き角度θが、２度〜１８度の範囲で、好ましくは５度〜１０度の範囲に設定されている。このため、第３の時計ムーブメント１０の指針歯車１６ａは、第２の時計ムーブメント９と同様、輪列部１５の伝達カナ１５ｃの歯部Ｇ２に対するかじりを避けるための逃げ部Ｎが設けられ、これにより輪列部１５の伝達カナ１５ｃに対し傾いた状態で噛み合うように構成されている。
【００３４】
この場合にも、第３の指針軸２１を保持する輪列受部１７の受け面１７ｂと、地板１８の受け面１８ｂとは、第２の時計ムーブメント９と同様、第３の指針軸２１に対して垂直になるような傾斜面にそれぞれ形成されている。また、この第３の時計ムーブメント１０は、図１〜図３に示すように、第３の文字板２２に対応して配置されるように構成されている。
【００３５】
この第３の文字板２２は、図１〜図３に示すように、第１の文字板６の１２時側に位置する箇所に設けられた円形状の開口部６ｂ内に傾斜して、第１の文字板６と一体に形成されて配置されている。すなわち、この第３の文字板２２は、地板１８の上面に第３の指針軸２１の傾きに応じて１２時側が低くなるように傾斜して配置されている。なお、この第２の文字板１９は、第１の文字板６と別体に形成されていても良い。
【００３６】
これにより、第３の時計ムーブメント１０は、第２の時計ムーブメント９と同様、その第３の指針軸２１が第１の文字板６に対して傾き、かつ第３の文字板２２に対して垂直な状態になり、この状態で第３の文字板２２の上方に突出し、この突出した第３の指針軸２１の上端部に取り付けられた小針２０が、第１の文字板６の円形状の開口部６ｂ内において、第３の文字板２２に対して平行な状態で、かつ第１の文字板６に対して傾いた状態で運針するように構成されている。
【００３７】
この場合にも、第３の時計ムーブメント１０は、図３、図５および図６に示すように、輪列部１５の伝達カナ１５ｃに対する指針歯車１６ａの傾きによる指針歯車１６ａの上下方向の振れ幅Ｔ１が、指針歯車１６ａの外径の大きさによって設定されている。これにより、第３の時計ムーブメント１０は、第２の時計ムーブメント９の場合と同様、指針歯車１６ａの上下方向の振れ幅Ｔ１が時計モジュール４全体の厚みＴ２に及ぼす影響が極めて小さく、この振れ幅Ｔ１によって時計モジュール４全体の厚みＴ２が厚くならないように構成されている。
【００３８】
次に、このような腕時計の作用について説明する。
通常状態では、第１の時計ムーブメント８によって現在時刻を指示すると共に、第２の時計ムーブメント９によって時間を２４時間表示で指示する。この場合、第１の時計ムーブメント８は、図示ないが、駆動源であるステップモータのロータがステップ回転すると、このロータの回転が輪列部によって第１の指針軸１２に伝達され、この第１の指針軸１２によって指針１１が第１の文字板６の上方を運針して現在時刻を指示する。
【００３９】
すなわち、第１の時計ムーブメント８は、ステップモータのロータがステップ回転すると、このロータの回転が輪列部の五番車によって第１の指針軸１２の秒針軸１２ｃに伝達され、この秒針軸１２ｃの秒針１１ｃが運針し、この秒針軸１２ｃの回転が輪列部の三番車によって第１の指針軸１２の分針軸１２ｂに伝達され、この分針軸１２ｂの分針１１ｂが運針し、この分針軸１２ｂの回転が輪列部の日の裏車によって第１の指針軸１２の時針軸１２ａに伝達され、この時針軸１２ａの時針１１ａが運針する。
【００４０】
この場合、第１の時計ムーブメント８は、第１の指針軸１２が第１の文字板６の平面に対して垂直な状態で配置され、ステップモータの駆動軸であるロータ軸（いずれも図示せず）が第１の文字板６の平面に対して垂直な状態で配置され、このロータ軸に対して平行に第１の指針軸１２が配置されていることにより、指針１１が第１の文字板６に対して平行な状態で運針して現在時刻を指示する。
【００４１】
また、第２の時計ムーブメント９は、図１〜図５に示すように、例えば２４時間で１回転する小針１３を運針させて時間を２４時間表示で指示する。この第２の時計ムーブメント９は、駆動源であるステップモータ１４のロータ１４ｃが１８０度ずつステップ回転すると、ロータ１４ｃのロータカナ１４ｆに輪列部１５の伝達歯車１５ｂが噛み合って回転する。
【００４２】
このように、輪列部１５の伝達歯車１５ｂが回転すると、伝達カナ１５ｃが伝達歯車１５ｂと共に回転し、この伝達カナ１５ｃに第２の指針軸１６の従動歯車である指針歯車１６ａが噛み合って回転する。これにより、第２の指針軸１６は、その上部に取り付けられた小針１３が、第１の文字板６の開口部６ａ内において、第２の文字板１９の上方を運針して時間を２４時間表示で指示する。
【００４３】
この場合、第２の指針軸１６は、図５に示すように、ロータ１４ｃのロータ軸１４ｄおよび輪列部１５の伝達軸１５ａに対し、２度〜１８度の範囲で、好ましくは５度〜１０度の範囲で傾いた状態で、地板１８の上方に突出して配置されている。また、第２の文字板１９は、第１の文字板６の６時側に位置する箇所に設けられた円形状の開口部６ａ内において、第２の指針軸１６の傾きに応じて６時側が低くなるように傾斜して配置されている。
【００４４】
これにより、第２の時計ムーブメント９は、その第２の指針軸１６が第１の文字板６に対して傾き、かつ第２の文字板１９に対して垂直な状態になり、この状態で第２の指針軸１６が第２の文字板１９の上方に突出し、この突出した第２の指針軸１６の上端部に取り付けられた小針１３が、第１の文字板６の円形状の開口部６ａ内において、第２の文字板１９に対して平行な状態で、かつ第１の文字板６に対して傾いた状態で運針する。
【００４５】
このため、この第２の時計ムーブメント９では、駆動軸であるロータ軸１４ｄの回転面に対して小針１３を傾けて運針させることができるので、第１の時計ムーブメント８の指針１１の運針方向およびこれと平行な第１の文字板６に対して、小針１３を傾けて運針させることができる。これにより、小針１３の運針を立体的に変化させることができるので、変化に富んだデザインが得られ、デザイン性の向上が図れる。
【００４６】
この場合、指針歯車１６ａは、図６に示すように、輪列部１５の伝達カナ１５ｃに対して傾いた状態で噛み合うために、指針歯車１６ａの歯部Ｇ１に輪列部１５の伝達カナ１５ｃの歯部Ｇ２に対するかじりを避けるための逃げ部Ｎが設けられている。このため、指針歯車１６ａは、輪列部１５の伝達カナ１５ｃに対して傾いた状態で噛み合っていても、輪列部１５の伝達カナ１５ｃによってロータ１４ｃの回転を第２の指針軸１６に確実にかつ円滑に伝達する。
【００４７】
一方、この腕時計のモードをストップウオッチ機能に切り替えると、第３の時計ムーブメント１０が小針２０を運針させてストップウオッチ時間を指示する。この場合には、第２の時計ムーブメント９と同様、駆動源であるステップモータ１４のロータ１４ｃがステップ回転し、このロータ１４ｃのロータカナ１４ｆに輪列部１５の伝達歯車１５ｂが噛み合って回転する。
【００４８】
このように、第３の時計ムーブメント１０における輪列部１５の伝達歯車１５ｂが回転すると、第２の時計ムーブメント９と同様、伝達カナ１５ｃが伝達歯車１５ｂと共に回転し、この伝達カナ１５ｃに第３の指針軸２１の従動歯車である指針歯車１６ａが噛み合って回転する。これにより、第３の時計ムーブメント１０の第３の指針軸２１は、その上部に取り付けられた小針２０が、第１の文字板６の開口部６ｂ内において、第３の文字板２２の上方を運針してストップウオッチ時間を指示する。
【００４９】
この場合、第３の時計ムーブメント１０における第３の指針軸２１は、第２の時計ムーブメント９と同様、ロータ１４ｃのロータ軸１４ｄおよび輪列部１５の伝達軸１５ａに対し、２度〜１８度の範囲で、好ましくは５度〜１０度の範囲で傾いた状態で、地板１８の上方に突出して配置されている。また、第３の文字板２２は、第１の文字板６の１２時側に位置する箇所に設けられた円形状の開口部６ｂ内において、第３の指針軸２１の傾きに応じて１２時側が低くなるように傾斜して配置されている。
【００５０】
これにより、第３の時計ムーブメント１０は、その第３の指針軸２１が第１の文字板６に対して傾き、かつ第３の文字板２２に対して垂直な状態になり、この状態で第３の指針軸２１が第３の文字板２２の上方に突出し、この突出した第３の指針軸２１の上端部に取り付けられた小針２０が、第１の文字板６の円形状の開口部６ｂ内において、第３の文字板２２に対して平行な状態で、かつ第１の文字板６に対して傾いた状態で運針する。
【００５１】
このため、この第３の時計ムーブメント１０においても、駆動軸であるロータ軸１４ｄの回転面に対して小針２０を傾けて運針させることができるので、第１の時計ムーブメント８の指針１１の運針方向およびこれと平行な第１の文字板６に対して、小針２０を傾けて運針させることができる。これにより、第３の時計ムーブメント１０は、その小針２０の運針を立体的に変化させることができると共に、第２の時計ムーブメント９の小針１３の運針方向とも異ならせることができ、これにより、より一層、変化に富んだデザインが得られ、更なるデザイン性の向上が図れる。
【００５２】
この場合にも、第３の時計ムーブメント１０の指針歯車１６ａは、第２の時計ムーブメント９と同様、輪列部１５の伝達カナ１５ｃに対して傾いた状態で噛み合うために、指針歯車１６ａの歯部Ｇ１に輪列部１５の伝達カナ１５ｃの歯部Ｇ２に対するかじりを避けるための逃げ部Ｎが設けられている。このため、指針歯車１６ａが輪列部１５の伝達カナ１５ｃに対して傾いた状態で噛み合っていても、輪列部１５の伝達カナ１５ｃによってロータ１４ｃの回転を第３の指針軸２１に確実にかつ円滑に伝達する。
【００５３】
このように、この腕時計における第２の時計ムーブメント９によれば、駆動軸であるロータ軸１４ｄを有するステップモータ１４と、ロータ軸１４ｄの回転に応じて回転して指針である小針１３を運針させる第２の指針軸１６と、を備え、この第２の指針軸１６がロータ軸１４ｄに対して傾いて配置されていることにより、小針１３の運針を立体的に変化させてデザイン性を向上させることができる。
【００５４】
すなわち、この腕時計における第２の時計ムーブメント９では、ステップモータ１４の駆動軸であるロータ軸１４ｄに対して小針１３を傾けた状態で運針させることができるので、小針１３の運針面をロータ軸１４ｄの回転面に対して傾けることができ、これにより小針１３の運針を立体的に変化させることができるので、変化に富んだデザインを得ることができ、デザイン性を向上させることができる。
【００５５】
また、この腕時計では、ロータ軸１４ｄに対して第２の指針軸１６を傾けることにより、ロータ軸１４ｄに対して小針１３を上下方向に傾けることができると共に、小針１３の上下方向の振れ幅を小さく抑えることができるので、第２の時計ムーブメント９全体を傾けて小針１３を傾ける場合に比べて、時計モジュール４の厚みＴ２を薄くすることができ、これにより第２の指針軸１６をロータ軸１４ｄに対して傾けても、腕時計全体の薄型化および小型化を図ることができる。
【００５６】
また、この腕時計における第３の時計ムーブメント１０によれば、第２の時計ムーブメント９と同様、ステップモータ１４の駆動軸であるロータ軸１４ｄに対してストップウオッチ時間を指示する小針２０を傾けて運針させることができるので、この小針２０の運針面をロータ軸１４ｄの回転面に対して傾けることができ、これによっても小針２０の運針を立体的に変化させることができるので、変化に富んだデザインを得ることができ、デザイン性を向上させることができる。
【００５７】
この場合にも、ロータ軸１４ｄに対して第３の指針軸２１を傾けることにより、ロータ軸１４ｄに対して小針２０を上下方向に傾けることができると共に、小針２０の上下方向の振れ幅を小さく抑えることができるので、第３の時計ムーブメント１０全体を傾けて小針２０を傾ける場合に比べて、時計モジュール４の厚みＴ２を薄くすることができ、これにより、第３の指針軸２１をロータ軸１４ｄに対して傾けても、第２の時計ムーブメント９と同様、腕時計全体の薄型化および小型化を図ることができる。
【００５８】
この場合、駆動軸であるロータ軸１４ｄは、その回転を輪列部１５に伝達する駆動歯車であるロータカナ１４ｆを有し、第３の指針軸２１は、輪列部１５の回転が伝達される従動歯車である指針歯車１６ａを有していることにより、ロータ軸１４ｄの回転をロータカナ１４ｆによって輪列部１５に確実にかつ良好に伝達することができ、この輪列部１５の回転を第３の指針軸２１の指針歯車１６ａに確実にかつ良好に伝達することができ、これによりロータ軸１４ｄの回転に応じて第３の指針軸２１を確実にかつ良好に回転させることができる。
【００５９】
また、第２、第３の時計ムーブメント９、１０は、第２、第３の指針軸１６、２１の従動歯車である指針歯車１６ａが、輪列部１５の伝達歯車である伝達カナ１５ｃに対して傾いた状態で噛み合っていることにより、ステップモータ１４の駆動軸であるロータ軸１４ｄに対して、第２の時計ムーブメント９の小針１３、および第３の時計ムーブメント１０の小針２０を傾けて運針させることができると共に、ロータ軸１４ｄの回転に応じて第２、第３の指針軸１６、２１を確実に回転させて小針１３、２０を良好に運針させることができる。
【００６０】
この場合、第２、第３の時計ムーブメント９、１０は、輪列部１５の伝達カナ１５ｃに対する指針歯車１６ａの傾きによる指針歯車１６ａの上下方向の振れ幅Ｔ１が、指針歯車１６ａの外径の大きさによって設定されていることにより、この指針歯車１６ａの上下方向の振れ幅Ｔ１が時計モジュール４全体の厚みＴ２に及ぼす影響を極めて小さくすることができ、これにより時計モジュール４全体の厚みＴ２を薄く抑えることができる。
【００６１】
また、第２、第３の時計ムーブメント９、１０の各従動歯車である指針歯車１６ａの歯部Ｇ１は、輪列部１５の伝達歯車である伝達カナ１５ｃの歯部Ｇ２に対するかじりを避けるための逃げ部Ｎが設けられていることにより、指針歯車１６ａを輪列部１５の伝達カナ１５ｃに対して傾けた状態で確実に噛み合わせることができ、これによりロータ軸１４ｄの回転に応じて第２、第３の指針軸１６、２１を確実に回転させることができる。
【００６２】
この場合、第２、第３の時計ムーブメント９、１０は、指針歯車１６ａの歯部Ｇ１に輪列部１５の伝達カナ１５ｃの歯部Ｇ２に対するかじりを避けるための逃げ部Ｎを設けるだけで良いので、第２、第３の指針軸１６、２１をステップモータ１４のロータ軸１４ｄに対して傾けるために、傘歯車やねじ歯車などの特殊な歯車を用いずに、平歯車の歯部に逃げ部Ｎを設ければ良いので、加工や製作が容易で、安価なものを提供することができる。
【００６３】
また、第２、第３の時計ムーブメント９、１０における第２、第３の指針軸１６、２１は、第２、第３の文字板１９、２２に対して垂直な状態で上方に突出し、第２、第３の文字板１９、２２は、第２、第３の指針軸１６、２１に対して垂直な状態で、駆動源であるステップモータ１４のロータ軸１４ｄに対して傾いて配置されているので、第２、第３の時計ムーブメント９、１０に対して第２、第３の文字板１９、２２を、ロータ軸１４ｄに対する第２、第３の指針軸１６、２１の傾きに応じて傾けて配置することができ、これによってもデザイン性を向上させることができる。
【００６４】
この場合、第２の指針軸１６を保持する輪列受部１７の軸孔１７ａの周辺部と、地板１８の軸孔１８ａの周辺部とには、それぞれ受け面１７ｂ、１８ｂが、第２、第３の指針軸１６、２１に対して垂直な傾斜面にそれぞれ形成されているので、これら受け面１７ｂ、１８ｂによって、第２、第３の指針軸１６、２１、伝達軸１５ａ、ロータ軸１４ｄなどの輪列を組み立てる際に、その組立用冶具を正確にかつ容易に配置することができる。
【００６５】
このため、輪列受部１７と地板１８とに、第２、第３の指針軸１６、２１、伝達軸１５ａ、ロータ軸１４ｄなどの輪列を組み付ける際に、輪列を容易にかつ精度よく組み立てることができると共に、第２、第３の指針軸１６、２１に小針１３、２０を正確にかつ良好に取り付けることができ、これにより生産性の向上を図ることができる。
【００６６】
さらに、この腕時計では、ステップモータ１４のロータ軸１４ｄに対して第２、第３の指針軸１６、２１が傾いて配置された第２、第３の時計ムーブメント９、１０と、ステップモータのロータ軸（いずれも図示せず）に対して第１の指針軸１２が平行に配置された第１の時計ムーブメント８と、を備えていることにより、第１の時計ムーブメント８の指針１１の運針面に対して第２、第３の時計ムーブメント９、１０の各小針１３、２０の運針面を傾けることができるので、指針１２の運針と小針１３、２０の各運針を立体的に変化させることができ、これによりデザイン性を更に向上させることができる。
【００６７】
この場合、第２の時計ムーブメント９は、第１の文字板６の６時側に設けられた開口部６ａ内に第２の文字板１９が６時側に向けて下るように傾斜して配置され、この傾斜した第２の文字板１９の上方を小針１３が平行に運針し、第３の時計ムーブメント１０は、第１の文字板６の１２時側に設けられた開口部６ｂ内に第３の文字板２２が１２時側に向けて下るように傾斜して配置され、この傾斜した第３の文字板２２の上方を小針２０が平行に運針することにより、小針１３、２０の各運針状態を立体的に変化させることができる。
【００６８】
なお、上述した第１実施形態では、第２、第３の指針軸１６、２１における各指針歯車１６ａの歯部Ｇ１に形成された傾斜面である逃げ部Ｎが指針歯車１６ａの歯部Ｇ１の全周に沿って設けられている場合について述べたが、この発明は、これに限らず、例えば図１０（ａ）〜図１０（ｃ）に示す第１変形例のように、第２、第３の指針軸１６、２１における各指針歯車１６ａの歯部Ｇ１の歯先のみに逃げ部Ｎを設けた構成であっても良い。この場合には、指針歯車１６ａの歯部Ｇ１の断面が台形状に形成されている必要はなく、歯部Ｇ１の断面が長方形状などの四角形状に形成されていても良い。
【００６９】
また、上述した第１実施形態では、第２、第３の指針軸１６、２１をステップモータ１４のロータ軸１４ｄに対して離れる方向に傾けて配置した場合について述べたが、この発明は、これに限らず、例えば図１１（ａ）〜図１１（ｃ）に示す第２変形例のように、第２、第３の指針軸１６、２１をロータ軸１４ｄに対して捩じる方向に傾けて配置しても良い。
【００７０】
この場合にも、第２、第３の指針軸１６、２１は、ロータ１４ｃのロータ軸１４ｄに対する捩じれ傾き角度が、２度〜１８度の範囲で、好ましくは５度〜１０度の範囲に設定されていれば良い。このため、指針歯車１６ａは、輪列部１５の伝達カナ１５ｃに対してねじれた状態で傾いて噛み合うように構成されている。すなわち、指針歯車１６ａの歯部Ｇ１には、輪列部１５の伝達カナ１５ｃの歯部Ｇ２に対するかじりを避けるための逃げ部Ｎが設けられていれば良い。
【００７１】
この場合、指針歯車１６ａの歯部Ｇ１に設けられた逃げ部Ｎは、ロータ軸１４ｄに対する第２、第３の指針軸１６、２１の捩じれ角度、つまり輪列部１５の伝達カナ１５ｃに対して指針歯車１６ａが捩じれて傾いた角度に応じて、指針歯車１６ａの歯部Ｇ１の歯先が、伝達カナ１５ｃの歯底に接触せず、伝達カナ１５ｃの歯底と平行になり、かつ歯部Ｇ１の両側面のうち、一方の側面が伝達カナ１５ｃの歯部Ｇ２における片方の側面と平行なるように、指針歯車１６ａの歯部Ｇ１に形成された傾斜面である。
【００７２】
この傾斜面である逃げ部Ｎは、指針歯車１６ａの歯部Ｇ１の全周に沿って設けられている。このため、指針歯車１６ａの歯部Ｇ１は、断面が台形状に形成されている。この場合、指針歯車１６ａの歯部Ｇ１の歯先、歯底、および両側面のうち、これらの片側半分に位置する逃げ部Ｎのみが、図１１（ｂ）に示すように、露呈する。このため、指針歯車１６ａは、図１１（ｃ）に示すように、その歯部Ｇ１の片側の側面が伝達カナ１５ｃの歯部Ｇ２の片側の側面にピッチ円上で当接することにより、伝達カナ１５ｃによって回転する。
【００７３】
また、上述した第１実施形態では、指針歯車１６ａの歯部Ｇ１に逃げ部Ｎをワイヤー放電加工によって形成した場合について述べたが、この発明は、これに限らず、例えば図１２（ａ）〜図１２（ｃ）に示す第３変形例のように、プレス加工によって指針歯車１６ａの歯部Ｇ１を形成しても良い。
【００７４】
この場合、指針歯車１６ａの歯部Ｇ１は、図１２（ｂ）に示すように、歯部Ｇ１の下面側における断面の幅が広く、歯部Ｇ１の上面側における断面の幅が狭い、段差を有する凸形状に形成しても良い。また、指針歯車１６ａの歯部Ｇ１は、図１２（ｃ）に示すように、歯部Ｇ１の下面側における断面の幅が広く、歯部Ｇ１の上面側に向けて断面の幅が階段状に狭くなるように、断面ほぼ階段状の台形状に形成しても良い。このように指針歯車１６ａの歯部Ｇ１をプレス加工によって形成すれば、逃げ部Ｎを簡単にかつ容易に加工することができるので、指針歯車１６ａを安価に製作することができる。
【００７５】
また、上述した第１実施形態では、ロータ１４ｃの回転を輪列部１５によって第２、第３の指針軸１６、２１に伝達するように構成した場合について述べたが、この発明は、これに限らず、ロータ１４ｃのロータカナ１４ｆに第２、第３の指針軸１６、２１の指針歯車１６ａを噛み合わせることにより、ロータ１４ｃの回転を第２、第３の指針軸１６、２１に直接伝達するように構成しても良い。
【００７６】
さらに、上述した第１実施形態では、第１の時計ムーブメント８のほかに、第２、第３の時計ムーブメント９、１０を別に設けた場合について述べたが、この発明は、これに限らず、第１の時計ムーブメント８に第２の時計ムーブメント９の第２の指針軸１６およびその小針１３を組み付けた構成であっても良い。
【００７７】
この場合には、第１の時計ムーブメント８における分針車の回転を時針車に伝達する日の裏車などの伝達車の回転を更に他の伝達車によって２４時間で１回転する第２の指針軸１６に伝達すように構成すればよい。この場合にも、２４時間で１回転する第２の指針軸１６を第１の時計ムーブメント８の駆動源であるステップモータのロータ軸に対して傾けた構成にすればよい。
【００７８】
（第２実施形態）
次に、図１３（ａ）〜図１３（ｂ）を参照して、この発明を腕時計に適用した第２実施形態について説明する。なお、図１〜図９に示された第１実施形態と同一部分には同一符号を付して説明する。
この腕時計は、図１３（ａ）〜図１３（ｂ）に示すように、時計モジュール４における第２、第３の時計ムーブメント３０、３１が第１実施形態と異なる構成であり、これ以外は第１実施形態とほぼ同じ構成になっている。
【００７９】
すなわち、第２、第３の時計ムーブメント３０、３１は、図１３（ｂ）に示すように、駆動源としてのステップモータ１４と、このステップモータ１４の回転によって回転する輪列部１５と、この輪列部１５の回転が伝達されて回転する第２、第３の指針軸１６、２１と、を備えている。この場合、ステップモータ１４の駆動軸であるロータ軸１４ｄ、輪列部１５の伝達軸１５ａ、および第２、第３の指針軸１６、２１は、相互に平行な状態で輪列受部１７と地板１８との間に回転可能に配置されている。
【００８０】
このような第２、第３の時計ムーブメント３０、３１は、図１３（ａ）に示すように、これら全体をそれぞれ第１の時計ムーブメント８に対して傾けることにより、第１の時計ムーブメント８の第１の指針軸１２に対して、第２、第３の指針軸１６、２１を傾けた状態で配置するように構成されている。すなわち、第２、第３の時計ムーブメント３０、３１は、第１の時計ムーブメント８における第１の文字板６に対して第２、第３の指針軸１６、２１を傾けた状態で配置するように構成されている。
【００８１】
この場合、第１の時計ムーブメント８における第１の指針軸１２に対する第２、第３の指針軸１６、２１の傾き角度θは、第１実施形態と同様、２度〜１８度の範囲で、好ましくは５度〜１０度の範囲に設定されている。また、第２、第３の時計ムーブメント３０、３１は、第１実施形態と同様、第２、第３の文字板１９、２２が第１の文字板６に対して傾いた状態で配置されるように構成されている。
【００８２】
すなわち、第２の時計ムーブメント３０における第２の文字板１９は、図１３（ａ）に示すように、第１の文字板６の６時側に位置する箇所に設けられた円形状の開口部６ａ内において、第１の文字板６に対する第２の時計ムーブメント３０の傾き、つまり第２の指針軸１６の傾きに応じて６時側が低くなるように傾斜して配置されている。
【００８３】
また、第３の時計ムーブメント３１における第３の文字板２２は、図１３（ａ）に示すように、第１の文字板６の１２時側に位置する箇所に設けられた円形状の開口部６ｂ内において、第１の文字板６に対する第３の時計ムーブメント３１の傾き、つまり第３の指針軸２１の傾きに応じて１２時側が低くなるように傾斜して配置されている。
【００８４】
このような腕時計によれば、第１の時計ムーブメント８に対して第２、第３の時計ムーブメント３０、３１を傾けるだけで、第１の時計ムーブメント８における第１の指針軸１２に対して第２、第３の時計ムーブメント３０、３１における第２、第３の指針軸１６、２１を傾けることができる。
【００８５】
このため、この腕時計では、第１実施形態と同様、第２、第３の時計ムーブメント３０、３１の各小針１３、２０の各運針方向を第１の時計ムーブメント８の指針１１の運針方向に対して傾けることができ、これにより小針１３、２０の運針を立体的に変化させることができるので、変化に富んだデザインを得ることができ、デザイン性を向上させることができる。
【００８６】
なお、上述した第１、第２の実施形態およびその各変形例では、駆動源としてステップモータ１４を用いた場合について述べたが、この発明は、これに限らず、例えば、ゼンマイによって駆動軸が回転する機械式の駆動源であっても良い。
【００８７】
また、上述した第１、第２の実施形態およびその各変形例では、指針式の腕時計に適用した場合について述べたが、この発明は、必ずしも腕時計である必要はなく、例えばトラベルウオッチ、目覚まし時計、置き時計、掛け時計などの各種の指針式の時計に適用することができる。また、この発明は、必ずしも時計に限らず、指針を有する計測器などのメータ類にも適用することができる。
【００８８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８９】
（付記）
請求項１に記載の発明は、駆動軸を有する駆動源と、前記駆動軸の回転に応じて回転して指針を運針させる指針軸と、を備え、前記指針軸が前記駆動軸に対して傾いて配置されていることを特徴とするムーブメントである。
【００９０】
請求項２に記載の発明は、請求項１に記載のムーブメントにおいて、前記駆動軸は、その回転を輪列部に伝達する駆動歯車を有し、前記指針軸は、前記輪列部の回転が伝達される従動歯車を有していることを特徴とするムーブメントである。
【００９１】
請求項３に記載の発明は、請求項２に記載のムーブメントにおいて、前記指針軸の前記従動歯車は、前記輪列部の伝達歯車に対して傾いた状態で噛み合っていることを特徴とするムーブメントである。
【００９２】
請求項４に記載の発明は、請求項３に記載のムーブメントにおいて、前記従動歯車の歯部は、前記輪列部の前記伝達歯車の歯部に対するかじりを避けるための逃げ部が設けられていることを特徴とするムーブメントである。
【００９３】
請求項５に記載の発明は、請求項１〜請求項４のいずれかに記載のムーブメントにおいて、前記指針軸は、文字板に対して垂直な状態で前記文字板の上方に突出し、前記文字板は、前記指針軸に対して垂直な状態で、前記駆動源の前記駆動軸に対して傾いて配置されていることを特徴とするムーブメントである。
【００９４】
請求項６に記載の発明は、請求項１〜請求項５のいずれかに記載のムーブメントにおいて、前記駆動源は、交番磁界によってロータがステップ回転するステップモータであり、前記駆動軸は、前記ロータのロータ軸であることを特徴とするムーブメントである。
【００９５】
請求項７に記載の発明は、請求項１〜請求項６のいずれかに記載されたムーブメントを備えていることを特徴とする時計である。
【００９６】
請求項８に記載の発明は、請求項７に記載の時計において、前記駆動源の前記駆動軸に対して前記指針軸が傾いて配置された第１のムーブメントと、前記駆動源の前記駆動軸に対して前記指針軸が平行に配置された第２のムーブメントと、を備えていることを特徴とする時計である。
【００９７】
請求項９に記載の発明は、請求項７に記載の時計において、前記駆動源の前記駆動軸に対して傾いて配置された指針軸と、前記駆動源の前記駆動軸に対して平行に配置された他の指針軸と、を備えていることを特徴とする時計である。
【００９８】
請求項１０に記載の発明は、ケースに組み込まれる複数のムーブメントのうち、少なくとも１つのムーブメントが他のムーブメントに対して傾いて配置されていることを特徴とする時計である。
【符号の説明】
【００９９】
１  腕時計ケース
４  時計モジュール
６  第１の文字板
６ａ、６ｂ  開口部
８  第１の時計ムーブメント
９、３０  第２の時計ムーブメント
１０、３１  第３の時計ムーブメント
１１  指針
１１ａ  時針
１１ｂ  分針
１１ｃ  秒針
１２  第１の指針軸
１３、２０  小針
１４  ステップモータ
１４ｃ  ロータ
１４ｄ  ロータ軸
１４ｆ  ロータカナ
１５  輪列部
１５ａ  伝達軸
１５ｃ  伝達カナ
１６  第２の指針軸
１６ａ  指針歯車
１９  第２の文字板
２１  第３の指針軸
２２  第３の文字板
Ｇ１、Ｇ２  歯部
Ｎ  逃げ部
【図１】
2016217862.tif 000003
【図２】
2016217862.tif 000004
【図３】
2016217862.tif 000005
【図４】
2016217862.tif 000006
【図５】
2016217862.tif 000007
【図６】
2016217862.tif 000008
【図７】
2016217862.tif 000009
【図８】
2016217862.tif 000010
【図９】
2016217862.tif 000011
【図１０】
2016217862.tif 000012
【図１１】
2016217862.tif 000013
【図１２】
2016217862.tif 000014
【図１３】
2016217862.tif 000015